(57)【要約】【課題】不特定の無線ＬＡＮカード搭載ＰＣと無線ＬＡＮアクセスポイントの間で実施可能な負荷分散方式の提供【解決手段】無線ＬＡＮシステムにおいて、自己のアクセスポイントに、無線端末の一つを接続する時と、無線端末を開放した時毎に、自己の接続台数、現在の最大接続台数を同一グループ内の他のアクセスポイントに同報する手段と、無線端末から接続要求があったとき、同一グループ内の各アクセスポイントが全て最大接続台数に達していた場合、最大接続台数を増加させる手段と、無線端末の開放により、全ての無線端末接続台数が最大接続台数より予め定めた台数以上少なくなった場合、最大接続台数を減少させる手段と、同一グループ内の他のアクセスポイントから同報された接続台数をアクセスポイント対応に記憶するとともに、同報された最大接続数を記憶更新する手段とを備えた無線ＬＡＮアクセスポイント。【選択図】図１
2004140614.tif 000002
【特許請求の範囲】
【請求項１】
有線接続された複数のアクセスポイントがグループ化され、このグループ化された複数のアクセスポイントと、一つのグループ内のアクセスポイント個々に無線接続の要求を送出すことが可能で、かつ接続許可されたアクセスポイントに無線接続が可能な複数の無線端末とで構成した無線ＬＡＮシステムにおいて、
自己のアクセスポイントに、前記無線端末の一つを無線接続する時と、一つの無線端末を開放した時毎に、自己の接続台数、現在の最大接続台数を同一グループ内の他のアクセスポイントに同報する手段と、
無線端末から接続要求があったとき、自己のアクセスポイントが最大接続台数に達し、かつ同一グループ内にある他のアクセスポイントの中で最大接続台数に達していないアクセスポイントがある場合に、自己への接続要求を拒否する手段と、
無線端末から接続要求があったとき、同一グループ内の各アクセスポイントが全て最大接続台数に達していた場合、前記接続要求のあったアクセスポイントは前記無線端末を接続し、最大接続台数を増加させ、また現在の接続台数を増加させるとともに、現在の増加した接続台数と増加させた最大接続台数を同一グループ内の他のアクセスポイントに同報する手段と、
無線端末の開放によって、同一グループ内のアクセスポイントすべての無線端末接続台数が最大接続台数より予め定めた台数以上少なくなった場合、前記各アクセスポイントは最大接続台数を減少させ、自己の減少した接続台数と現在の減少した最大接続台数を前記グループ内の他のアクセスポイントに同報する手段と、同一グループ内の他のアクセスポイントから同報された接続台数をアクセスポイント個別対応に記憶するとともに、同報された最大接続数を記憶更新する手段と、
を備えたことを特徴とする無線ＬＡＮアクセスポイントの負荷分散方式。
【請求項２】
同一グループのアクセスポイント個々に接続する無線端末の台数に関して最大接続台数を変化させる負荷分散を行わない最少接続台数を予め定めておき、最大接続台数が最少接続台数より少なくならないようにしたことを特徴とした請求項１の無線ＬＡＮアクセスポイントの負荷分散方式。
【請求項３】
アクセスポイントは予め定めた時間、接続台数の変化がない場合、自己の無線端末の接続台数、現在の最大接続台数を同一グループ内のアクセスポイントに同報する請求項１の無線ＬＡＮアクセスポイントの負荷分散方式。
【発明の詳細な説明】
【０００１】
【発明の属する技術分野】
本発明は、複数の無線ＬＡＮアクセスポイント（以下単にアクセスポイントと称す）で構成される無線ＬＡＮシステムにおいて、複数の無線端末、すなわち無線ＬＡＮカードを搭載したクライアントパソコン（以下クライアントＰＣと称す）からアクセスポイントに無線接続する際に、アクセスポイントに接続するクライアントＰＣの台数を均等にする方法（以下負荷分散と称す）に関する。
【０００２】
【従来の技術】
従来は、複数のアクセスポイントが発するビーコン信号に、当該アクセスポイントの接続台数情報を乗せて送信し、クライアントＰＣ側が電波の強弱と該情報とを合わせて、接続するに最適なアクセスポイントを選択していた。
しかしながら、ビーコン信号に乗せる情報、クライアントＰＣ側で最適を判断するアルゴリズムは、各製造、販売会社間で異なっていた。
【０００３】
【発明が解決しようとする課題】
特定製造、販売会社の無線ＬＡＮアクセスポイントと、同一製造、販売会社による無線ＬＡＮカード搭載ＰＣとの間でしか負荷分散を実現できなくて、異なる製造、販売会社のアクセスポイント、クライアントＰＣ間では当該機能を実現できなかった。
【０００４】
本発明の目的は、簡単な構成で、不特定多数の製造、販売会社の無線ＬＡＮカード搭載ＰＣとの間で負荷分散を実現する無線ＬＡＮアクセスポイントの負荷分散方式を提供することにある。
【０００５】
【課題を解決するための手段】
この目的を達成するため、本発明の方式を以下のようにした。
有線接続された複数のアクセスポイントがグループ化され、このグループ化された複数のアクセスポイントと、一つのグループ内のアクセスポイント個々に無線接続の要求を送出すことが可能で、かつ接続許可されたアクセスポイントに無線接続が可能な複数の無線端末とで構成した無線ＬＡＮシステムにおいて、
自己のアクセスポイントに、前記無線端末の一つを無線接続する時と、一つの無線端末を開放した時毎に、自己の接続台数、現在の最大接続台数を同一グループ内の他のアクセスポイントに同報する手段と、
無線端末から接続要求があったとき、自己のアクセスポイントが最大接続台数に達し、かつ同一グループ内にある他のアクセスポイントの中で最大接続台数に達していないアクセスポイントがある場合に、自己への接続要求を拒否する手段と、
無線端末から接続要求があったとき、同一グループ内の各アクセスポイントが全て最大接続台数に達していた場合、前記接続要求のあったアクセスポイントは前記無線端末を接続し、最大接続台数を増加させ、また現在の接続台数を増加させるとともに、現在の増加した接続台数と増加させた最大接続台数を同一グループ内の他のアクセスポイントに同報する手段と、
無線端末の開放によって、同一グループ内のアクセスポイントすべての無線端末接続台数が最大接続台数より予め定めた台数以上少なくなった場合、前記各アクセスポイントは最大接続台数を減少させ、自己の減少した接続台数と現在の減少した最大接続台数を前記グループ内の他のアクセスポイントに同報する手段と、同一グループ内の他のアクセスポイントから同報された接続台数をアクセスポイント個別対応に記憶するとともに、同報された最大接続数を記憶更新する手段と、
を備えた無線ＬＡＮアクセスポイントの負荷分散方式。
【０００６】
【発明の実施の形態】
図１は、本発明の一実施例を示すアクセスポイントのフローチャート、図２は、自己及び同一ＡＰグループ内のアクセスポイントからも一定時間の間、接続するクライアントＰＣの増減が起こらない場合、自己のアクセスポイントに接続しているクライアントＰＣの台数を同一ＡＰグループのアクセスポイントに同報する動作を示すフローチャート、図３は、クライアントＰＣが同報を受けるフローチャート、図４は、同一グループ内アクセスポイントとクライアントＰＣで構成される無線ＬＡＮシステムの一部を示すブロック図、図５はアクセスポイントの構成を示すブロック図、図６は、アクセスポイントの記憶部にあるクライアントＰＣが接続している台数を記憶するクライアントＰＣ接続台数管理テーブルである。なお、図中においてアクセスポイントをＡＰと略記する場合がある。
【０００７】
１はケーブル、１００はスイッチングハブ、１０はアクセスポイント、１１は、最大接続台数を記憶する記憶部、１２は最少接続台数を記憶する記憶部、１３は自己及び他のアクセスポイントが接続しているクライアントＰＣの接続台数管理テーブルの記憶部、１４は有線送受信部、１５は各種制御を行う制御部、１６はクライアントＰＣと無線接続をする無線送受信部、１７はクライアントＰＣと無線通信するためのアンテナ、２０はアクセスポイント、３０はアクセスポイント、４１、４２、４３以下は無線端末であるクライアントＰＣを示す。
【０００８】
次に図１，図２の動作フローチャートを用いて説明を行う。
（１）負荷分散を実施する複数のアクセスポイントをグループ化し（以下ＡＰグループと称す）グループに共通のグループＩＤ（以下ＧＩＤと称す）を付与する。
ＡＰグループでは最少接続台数を例えば５台と決めておく。
【０００９】
（２）ＡＰグループの各アクセスポイントはクライアントＰＣが接続される時と、クライアントＰＣが開放される時毎に、グループＩＤ（ＧＩＤ）を含めて自己の接続台数、現在の最大接続台数を同一ＡＰグループの他のアクセスポイントへ同報する。
【００１０】
（３）図２に示すようにＡＰグループの各アクセスポイントは一定時間接続台数の変化がない場合、同一のＡＰグループ内のアクセスポイントにＧＩＤを含めて自己の接続台数、現在の最大接続台数を同報する。
【００１１】
（４）ＡＰグループの各アクセスポイントは最大接続台数に達し、かつ同一ＡＰグループの他のアクセスポイントで限界接続台数に達していないものがある場合は、自己への接続要求を拒否する。その結果、接続要求したクライアントＰＣは他のアクセスポイントへアクセスをスライドし、結果として最大接続台数に達していないアクセスポイントへ接続する。
【００１２】
（５）ＡＰグループ内の各アクセスポイントのクライアントＰＣの接続数が最大接続台数に達した場合、ＡＰグループの各アクセスポイントは最大接続台数を＋１し、現在の増加した最大接続台数を同報する。
【００１３】
（６）アクセスポイントがクライアントＰＣの要求によりクライアントＰＣを開放することによって、グループ内のアクセスポイントすべてに２台以上の最大接続台数に余裕ができた場合、最大接続台数を−１減少させ、ＧＩＤを含めて自己の接続台数、現在の最大接続台数を同一ＡＰグループの他のアクセスポイントへ同報する。
【００１４】
（７）以上のアルゴリズムを利用して、ＡＰグループ内のアクセスポイントの負荷分散を実施する。
【００１５】
（８）全てのクライアントＰＣが同一のＡＰグループ内のアクセスポイントにも無線接続可能とすることを条件としている。すなわち本発明はクライアントＰＣが一つのグループ内のアクセスポイント個々に無線接続の要求を送出すことが可能で、かつ接続許可されたアクセスポイントに無線接続が可能な環境にて実行可能である。
【００１６】
同一グループのアクセスポイント個々に接続する無線端末の台数に関して最大接続台数を変化させる負荷分散を行わない最少接続台数を５台として定めたので、現在の全てのアクセスポイントのクライアントＰＣの接続台数が４台以内であれば、最大接続台数も５台となる。しかし制御部１５では、クライアントＰＣの接続台数が３台以内になったとしても最大接続台数を５台より少なくはしない制御としてある。すなわちアクセスポイントのクライアントＰＣ接続台数が最少接続台数以内であれば、負荷分散をする必要もなく満足な通信が可能ということである。
【００１７】
図５の自己及び他のアクセスポイントが接続しているクライアントＰＣの接続台数管理テーブルの記憶部１３のクライアントＰＣ接続台数管理テーブルを図６に示している。アクセスポイント１０、２０、３０にそれぞれクライアントＰＣが７台、６台、７台接続されているとすると、そして現在の最大接続台数は７台とする。
【００１８】
そのため、クライアントＰＣが接続要求をアクセスポイント１０に行った場合（１０１）には、アクセスポイント１０は最大接続台数に達しているため他のアクセスポイントで最大接続数に達していないものがあれば接続を拒否する。そのため、クライアントＰＣはアクセスポイント２０に接続要求を送出すれば、アクセスポイント２０の現在接続台数は６台で最大接続台数に達していないので接続が可能である。アクセスポイント２０は要求のあったクライアントＰＣを接続すると、接続台数が７台になり、自己の記憶部１３にある接続台数管理テーブルを書き換える。また自己の同一グループのＧＩＤ、現在のクライアントＰＣの接続台数７台、現在のクライアントＰＣ最大接続台数７台を同一グループのアクセスポイントに同報する。図３に示すようにこの同報通知を受けた同一グループのアクセスポイント１０，３０は最大接続台数と同報元アクセスポイントの接続台数を変更して接続台数管理テーブルを更新する。
【００１９】
ここで接続台数管理テーブルではアクセスポイント１０、２０、３０のクライアントＰＣ接続台数は全て最大接続数の７台になったため、新たなクライアントＰＣからアクセスポイント１０に接続要求がくる（１０１）と、アクセスポイントは接続台数管理テーブルから、他のアクセスポイントも最大接続数に達しているため拒否できないと判断し（１０３）、記憶部１１の最大接続台数を１台増加するよう書換、８台とする（１０４）。アクセスポイント１０は制御部１５によりこのクライアントＰＣの接続制御を行い（１０５）、また記憶部１３の接続台数管理テーブルのアクセスポイント１０のクライアントＰＣ接続台数を７台から８台へと更新する（１０６）。さらに自己の同一グループのＧＩＤ、現在のクライアントＰＣの接続台数８台、現在のクライアントＰＣ最大接続台数８台を同一グループのアクセスポイントに同報する（１０７）。
【００２０】
同報を受けた同一グループのアクセスポイント２０、３０は、記憶部１１の最大接続台数を７台から８台に更新し、また記憶部１３の接続台数管理テーブルのアクセスポイント１０のクライアントＰＣ接続台数を更新する。
なお、最大接続台数を減算することは、全てのアクセスポイントのクライアントＰＣがそれぞれ最大接続台数より２台以上減少した場合に行っている。上記のとおり、本実施例では具体的に説明しているが、本発明はこれら具体的な限定を意味していない。
【００２１】
アクセスポイントは予め定めた時間、接続台数の変化がない場合でも、自己の無線端末の接続台数、現在の最大接続台数を同一グループ内のアクセスポイントに同報するようにしている。
【００２２】
【発明の効果】
以上により、従来同一販売者の無線ＬＡＮアクセスポイントと無線ＬＡＮカード搭載無線端末間でしか負荷分散を実施できなかったが、本発明を使用することにより不特定多数の販売者の無線ＬＡＮアクセスポイントと無線ＬＡＮカード搭載無線端末間で負荷分散を実施することができる。
【図面の簡単な説明】
【図１】本発明の一実施例を示すアクセスポイントのフローチャート、
【図２】自己及び同じＡＰグループ内のアクセスポイントからも一定時間の間、接続するクライアントＰＣの増減が起こらない場合、自己のアクセスポイントに接続しているクライアントＰＣの台数を同一ＡＰグループのアクセスポイントに同報する動作を示すフローチャート、
【図３】クライアントＰＣが同報を受けるフローチャート
【図４】同一グループ内アクセスポイントとクライアントＰＣで構成される無線ＬＡＮシステムの一部を示すブロック図、
【図５】アクセスポイントの構成を示すブロック図、
【図６】アクセスポイントの記憶部にあるクライアントＰＣが接続している台数を記憶するクライアントＰＣ接続台数管理テーブルである。
【符号の説明】
１　　ケーブル、
１０　アクセスポイント、
１１　最大接続台数を記憶する記憶部、
１２　最少接続台数を記憶する記憶部、
１３　自己及び他のアクセスポイントが接続しているクライアントＰＣの接続台数管理テーブルの記憶部、
１４　有線送受信部、
１５　各種制御を行う制御部、
１６　無線送受信部、
１７　クライアントＰＣと無線通信するためのアンテナ、
２０　アクセスポイント、
３０　アクセスポイント、
４１　クライアントＰＣ
４２　クライアントＰＣ
４３　クライアントＰＣ
１００スイッチングハブ
【図１】
2004140614.tif 000003
【図２】
2004140614.tif 000004
【図３】
2004140614.tif 000005
【図４】
2004140614.tif 000006
【図５】
2004140614.tif 000007
【図６】
2004140614.tif 000008